(57)【要約】【課題】単純な構成の排水手段を設けて貯水室内部に析出するスケールの排出を行うこと。【解決手段】水を貯める貯水室１９と、貯水室１９内の水を加熱する蒸気発生ヒータ２０と、貯水室１９に設けられた給水口兼排水口２３を通じて給水する給水路２７と、貯水室１９に設けられた給水口兼排水口２３を通じて排水する排水路３０を設け、排水路３０は貯水室１９内で通常加熱時に貯められている水位より上方を経由し、貯水室１９からサイフォンの原理により給水口兼排水口２３と排水路３０を通じて排水可能とすることにより、排水路３０の経路構成を設けて排水路頂点３２まで給水するだけで排水を行うことができるため、単純な構成で貯水室１９内に析出するスケールおよびスケール凝縮水の排出を行うことができ、信頼性が高く、安価で、ユーザの負担にならない加熱調理器を提供することができる。【選択図】図２
2013119951.tif 000002
【特許請求の範囲】
【請求項１】
水を貯める貯水室と、
前記貯水室内の水を加熱する加熱手段と、
前記貯水室に設けられた給水口を通じて給水する給水路と、
前記貯水室に設けられた排水口を通じて排水する排水路を設け、
前記排水路は前記貯水室内で通常加熱時に貯められている水位より上方を経由し、前記貯水室からサイフォンの原理により前記排水口と前記排水路を通じて排水可能な加熱調理器。
【請求項２】
被加熱物を加熱する加熱室と、貯水室内で発生した蒸気を前記加熱室に放出する蒸気噴出口を設け、排水路は前記蒸気噴出口より下方を経由した請求項１に記載の加熱調理器。
【請求項３】
排水路は加熱手段より上方を経由した請求項１または２に記載の加熱調理器。
【請求項４】
排水路は貯水室内天面と略同じ高さを経由した請求項１〜３のいずれか１項に記載の加熱調理器。
【請求項５】
排水路下流出口を貯水室内底部より下方に設けた請求項１〜４のいずれか１項に記載の加熱調理器。
【請求項６】
給水路と排水路の合流部を有し、給水口と排水口を同一とした請求項１〜５のいずれか１項に記載の加熱調理器。
【請求項７】
給水路と排水路の合流部から前記給水路上流に向かって水平より下方向に前記給水路を設けた請求項６に記載の加熱調理器。
【請求項８】
排水口を貯水室内底部に設けた請求項１〜７のいずれか１項に記載の加熱調理器。
【請求項９】
貯水室内部に排水口に向かって水が流れやすいようにテーパーを設けた請求項１〜８のいずれか１項に記載の加熱調理器。
【請求項１０】
排水路をブロー成形により構成した請求項１〜９のいずれか１項に記載の加熱調理器。
【請求項１１】
排水路断面積を３ｍｍ２以上８０ｍｍ２以下とした請求項１〜１０のいずれか１項に記載の加熱調理器。
【請求項１２】
排水路に前記排水路の断面積より大きい空気抜き部を設けた請求項１〜１１のいずれか１項に記載の加熱調理器。
【発明の詳細な説明】
【技術分野】
【０００１】
本発明は、マイクロ波加熱する加熱調理器に関するものである。
【背景技術】
【０００２】
従来、この種の加熱調理器は、加熱室外部の側面に貯水室を設けて水を加熱し発生した水蒸気を加熱室に供給している（例えば、特許文献１参照）。
【０００３】
また、加熱室内底面に蒸発皿を設けて水を加熱し蒸気を発生させているものもある（例えば、特許文献２参照）。
【０００４】
また、給水タンクの着脱に連動して着脱連動レバーを動作させ貯水室の排水弁を開き排水を行っているものもある（例えば、特許文献３参照）。
【先行技術文献】
【特許文献】
【０００５】
【特許文献１】特許第４４２１４３０号公報
【特許文献２】特許第４０５９１６６号公報
【特許文献３】特開２０１０−３８４０５号公報
【発明の概要】
【発明が解決しようとする課題】
【０００６】
しかしながら、前記第１の従来の構成では、貯水室内で水が蒸発する際に水に溶け込んでいた炭酸カルシウムなどのスケールが析出し、排水手段が搭載されていないために蒸気発生容器内面に堆積し続け、蒸気発生容器の熱伝導率が低下し蒸気が発生しにくくなり、最悪給水口まで詰まり蒸気が発生しなくなるという課題を有していた。
【０００７】
また、前記第２の従来の構成では、加熱室内底面に蒸発皿を有しているためにスケールが発生してもユーザが除去できるが、都度清掃の手間が発生しユーザの負担になり、清掃をしないと最悪蒸気が発生しなくなるという課題を有していた。
【０００８】
また、前記第３の従来の構成では、貯水室に排水手段を有しているためスケールが発生しても排水を行うことによりスケールもともに外部に流されるが、給水タンクの着脱連動レバーや排水弁等が必要となるため、構造が複雑であるため信頼性が低く、また部品点数が多く構造が大きくなるため高価になるという課題を有していた。
【０００９】
本発明は、前記従来の課題を解決するもので、単純な構成の排水手段を設けて貯水室内部に析出するスケールの排出を行い、信頼性が高く、安価で、ユーザの負担にならない加熱調理器を提供することを目的とする。
【課題を解決するための手段】
【００１０】
前記従来の課題を解決するために、本発明の加熱調理器は、水を貯める貯水室と、前記貯水室内の水を加熱する加熱手段と、前記貯水室に設けられた給水口を通じて給水する給水路と、前記貯水室に設けられた排水口を通じて排水する排水路を設け、前記排水路は前記貯水室内で通常加熱時に貯められている水位より上方を経由し、前記貯水室からサイフォンの原理により前記排水口と前記排水路を通じて排水可能としたものである。
【００１１】
これによって、排水路の経路構成を設けて所定の水位まで給水するだけで排水を行うこ
とができるため、単純な構成で貯水室内部に析出するスケールおよびスケール凝縮水の排出を行うことができ、信頼性が高く、安価で、ユーザの負担にならない加熱調理器を提供することができる。
【発明の効果】
【００１２】
本発明の加熱調理器は単純な構成の排水手段を設けて貯水室内部に析出するスケールおよびスケール凝縮水の排出を行い、信頼性が高く、安価で、ユーザの負担にならない加熱調理器を提供することができる。
【図面の簡単な説明】
【００１３】
【図１】本発明の実施の形態１における加熱調理器の正面断面図
【図２】本発明の実施の形態１における加熱調理器の貯水室の断面図
【図３】（ａ）本発明の実施の形態１におけるサイフォン排水工程の第１の貯水室の断面図（ｂ）本発明の実施の形態１におけるサイフォン排水工程の第２の貯水室の断面図（ｃ）本発明の実施の形態１におけるサイフォン排水工程の第３の貯水室の断面図（ｄ）本発明の実施の形態１におけるサイフォン排水工程の第４の貯水室の断面図
【図４】本発明の実施の形態２における加熱調理器の貯水室の断面図
【発明を実施するための形態】
【００１４】
第１の発明は、水を貯める貯水室と、前記貯水室内の水を加熱する加熱手段と、前記貯水室に設けられた給水口を通じて給水する給水路と、前記貯水室に設けられた排水口を通じて排水する排水路を設け、前記排水路は前記貯水室内で通常加熱時に貯められている水位より上方を経由し、前記貯水室からサイフォンの原理により前記排水口と前記排水路を通じて排水可能とすることにより、排水路の経路構成を設けて所定の水位まで給水するだけで排水を行うことができるため、単純な構成で貯水室内部に析出するスケールおよびスケール凝縮水の排出を行うことができ、信頼性が高く、安価で、ユーザの負担にならない加熱調理器を提供することができる。
【００１５】
第２の発明は、特に、第１の発明において、被加熱物を加熱する加熱室と、貯水室内で発生した蒸気を前記加熱室に放出する蒸気噴出口を設け、排水路は前記蒸気噴出口より下方を経由したことにより、排水を行うため給水したときに蒸気噴出口から水が加熱室内にあふれることなく確実に排水できる加熱調理器を提供することができる。
【００１６】
第３の発明は、特に、第１または第２の発明において、排水路は加熱手段より上方を経由したことにより、貯水室内において最も温度が高くなる加熱手段まで確実に給水して排水することができ、温度が高いほど溶解度が小さくなるスケールの一種である炭酸カルシウムを排出しやすい加熱調理器を提供することができる。
【００１７】
第４の発明は、特に、第１〜３のいずれか１つの発明において、排水路は貯水室内天面と略同じ高さを経由したことより、貯水室内部一杯に給水して排水できるため貯水室天面付近に突沸時に水滴と共に付着したスケールも排出できる加熱調理器を提供することができる。
【００１８】
第５の発明は、特に、第１〜４のいずれか１つの発明において、排水路下流出口を貯水室内底部より下方に設けたことにより、排水工程において貯水室内の水が排水路下流出口と同一高さになって排水が途中で止まることなく貯水室内の水を排水できる加熱調理器を提供することができる。
【００１９】
第６の発明は、特に、第１〜５のいずれか１つの発明において、給水路と排水路の合流部を有し、給水口と排水口を同一としたことにより、給水路と排水路の合流部より貯水室
側の水路を共有することができるため安価な加熱調理器を提供することができる。
【００２０】
第７の発明は、特に、第６の発明において、給水路と排水路の合流部から前記給水路上流に向かって水平より下方向に前記給水路を設けたことにより、排水後給水路上流部に残った水が重力によって排水路に流れて滞留し、次回給水時に残った水と新しく給水した水との間に空気だまりができず、排水を行うため給水しているときに貯水室内の水位が所定の高さに達する前に排水することのない加熱調理器を提供することができる。
【００２１】
第８の発明は、特に、第１〜７のいずれか１つの発明において、排水口を貯水室内底部に設けたことにより、貯水室内の水を全て排出することができる加熱調理器を提供することができる。
【００２２】
第９の発明は、特に、第１〜８のいずれか１つの発明において、貯水室内部に排水口に向かって水が流れやすいようにテーパーを設けたことにより、前記貯水室内のコーナー部で水残りすることなくスムーズに排水することができる加熱調理器を提供することができる。
【００２３】
第１０の発明は、特に、第１〜９のいずれか１つの発明において、排水路をブロー成形により構成したことにより、排水路をホースで構成したときに比べて剛性があるため組立時のバラつきが少なく、また振動や落下等で変形しにくく信頼性の高い、安価な加熱調理器を提供することができる。
【００２４】
第１１の発明は、特に、第１〜１０のいずれか１つの発明において、排水路断面積を３ｍｍ２以上８０ｍｍ２以下としたことにより、断面積を小さくしすぎることにより排水時間を長くすることなく、また断面積を大きくしすぎることにより排水時に排水路内に空気が入りこみ排水ができなくなることのない適切な加熱調理器を提供することができる。
【００２５】
第１２の発明は、特に、第１〜１１のいずれか１つの発明において、排水路に前記排水路の断面積より大きい空気抜き部を設けたことにより、排水時に残った水と新しく給水した水との間に空気だまりができたとしても、排水を行うため給水し、空気だまりが空気抜き部に移動してきたときに空気が排水路出口側に抜けるため、貯水室内の水位が所定の高さに達する前に排水することのない加熱調理器を提供することができる。
【００２６】
以下、本発明の実施の形態について図面を参照しながら説明する。なお、この実施の形態によって本発明が限定されるものではない。
【００２７】
（実施の形態１）
図１は、本発明の第１の実施の形態における加熱調理器の正面断面図を示す。
【００２８】
図１において、アルミメッキ鋼板の表面をフッ素塗装された加熱室１内に食品５を載置し加熱室１に出し入れ可能な載置皿４と、載置皿４を保持するレール１２と、加熱室１と固定され食品５を載置する結晶化ガラスで形成された載置台３、加熱室１天面付近に加熱室ヒータ２が３本平行に設けられている。加熱室ヒータ２の３本のうち中央部に配置された加熱室ヒータ２の波長のピーク値は他の２本の加熱室ヒータ２の波長のピーク値よりも短い。
【００２９】
加熱室１壁面はアースコード（図示せず）によって接地されており、加熱室１と一体成型されたレール１２も接地されている。加熱室１は本実施の形態では壁面は汚れが拭き取りやすいフッ素塗装を行ったが、ホーロー塗装や他の耐熱性のある塗装を行ってもよい。また、材質としてはアルミメッキ鋼鈑やステンレスを用いることもできる。
【００３０】
載置皿４はアルミメッキ鋼鈑をプレス加工して形成され、表面はフッ素塗装され、裏面はマイクロ波を吸収して発熱する発熱体が備えられ、加熱室ヒータ２と組み合わせて食品５の両面を加熱することができる。また、レール１２との接触部には加熱室１と絶縁するためにＰＰＳ樹脂の成型品が備えられている。
【００３１】
載置皿４は本実施の形態では表面は汚れが拭き取りやすいフッ素塗装を行ったが、ホーロー塗装や他の耐熱性のある塗装を行ってもよい。また、材質としてはアルミニウムやステンレスを用いることもできる。
【００３２】
加熱室１奥には加熱室１内の空気を撹拌、循環させる循環ファン７と、加熱室１内を循環する空気を加熱する室内気加熱ヒータとしてのコンベクションヒータ８が循環ファン７を取り囲むようにして設けられている。加熱室１奥面中央付近には加熱室１側から循環ファン７側に吸気を行う複数の吸気用通風孔１６と、逆に循環ファン７側から加熱室１側に送風を行う複数の送風用通風孔１７とが形成エリアを区別して設けられている。各通風孔１６、１７は多数のパンチング孔で形成されている。
【００３３】
加熱室１右方には加熱室１の壁面に設けた検出用孔３８を通じて加熱室１内の食品５の温度を検出する赤外線センサ１５と、庫内温度を検出するサーミスタ９が設けられている。
【００３４】
加熱室１左下方には左方から見て約□７０ｍｍのマイクロ波発生手段であるマグネトロン６が水平方向に設けられ、アルミメッキ鋼鈑を曲げて略Ｌ字状に内部通路が構成された導波管１４に接続され、加熱室１水平方向中央付近には電波撹拌手段としてのアルミニウムで構成された回転アンテナ１１がモータ１８に接続されて設けられている。
【００３５】
なお、マグネトロン６、回転アンテナ１１、モータ１８、導波管１４は加熱室１の下面に設けているが、これに限らず加熱室１上部、側面側に設けることもでき、設置向きもあらゆる方向に設定することができる。
【００３６】
加熱室１左方には蒸気発生のための水を貯める貯水室１９と、アルミダイキャストに鋳込まれ貯水室１９を加熱して蒸気を発生させる蒸気発生ヒータ２０、加熱室１と貯水室１９を連通し貯水室１９内で発生した蒸気を加熱室１内に噴出する蒸気噴出口２１と、貯水室１９内の温度を測定するサーミスタ３４が設けられている。なお、貯水室１９はアルミダイキャスト２部品で形成されパッキン（図示せず）を挟んで水が漏れないように構成されている。また、蒸気噴出口２１と加熱室１の間にも水、蒸気が漏れないようにパッキン（図示せず）が挟まれて構成されている。
【００３７】
導波管１４下方には制御手段１０が設けられ、ユーザの調理メニューの選択により、マグネトロン６、モータ１８、各ヒータ等を制御している。また、加熱室１の前面には開閉扉（図示せず）が上下方向に開閉可能に設けられ、ユーザが調理メニューや時間を設定できる設定手段が備えられている。
【００３８】
図２は、本発明の第１の実施の形態における加熱調理器の貯水室の断面図、図３（ａ）ないし図３（ｄ）はサイフォン排水工程の貯水室の断面図を示す。
【００３９】
貯水室１９内上部中央水平方向に高さ５ｍｍ幅２０ｍｍのトラック楕円状の蒸気噴出口２１と、蒸気噴出口２１の下方に頂点が貯水室１９内中央上部になるような略円弧状の仕切り板２２と、仕切り板２２下方には出力１０００Ｗの直線状のシーズヒータである蒸気発生ヒータ２０が１本設けられている。
【００４０】
蒸気噴出口２１は本実施の形態ではトラック楕円形状を１つ設けたが、円形や矩形状、また複数個備えてもよい。なお、蒸気噴出口２１の孔の最長内寸はマイクロ波が漏れないようにマイクロ波の波長の１／２以下、本実施の形態ではマイクロ波の波長は約１２０ｍｍであるため６０ｍｍ以下が望ましい。
【００４１】
蒸気発生ヒータ２０は本実施の形態では出力１０００Ｗの直線状のヒータ１本を用いたが、貯水室１９形状、必要蒸気量に応じて１０００Ｗ以外の出力のヒータ、複数本のヒータ、Ｕ字形状のヒータを用いることもできる。
【００４２】
貯水室１９内底面には水平面との角度約２０°のテーパー２４と、テーパー２４の底部には内径φ６の給水口兼排水口２３が設けられている。テーパー２４は本実施の形態では水平面との角度を約２０°としたが、貯水室１９の形状、排水時の給水量によって水の流れが異なるため適宜決定してよい。
【００４３】
給水口兼排水口２３には耐熱性のチューブ２５ａを通じて合流部２６と、合流部２６下方上流側にはチューブ２５ｂを通じてシリコーンホースで形成された内径φ６の給水路２７と、給水路２７を通じて毎秒約６ｍｌ給水できるポンプ２８および給水タンク２９と、合流部２６右方下流側にはＰＰブロー成形で合流部２６と一体で形成された内径φ６の排水路３０を通じて排水タンク３１が接合されている。
【００４４】
排水路３０は合流部２６から略水平方向に右方に伸びその後、垂直方向に屈曲し、蒸気発生ヒータ２０より上方に伸び、蒸気噴出口２１より約５ｍｍ下方である排水路頂点３２で１８０°屈曲して垂直方向下方に伸び、貯水室１９底部より下方の排水路出口３３から排水タンク３１に繋がっている。
【００４５】
以上のように構成された加熱調理器について、以下その動作、作用を説明する。
【００４６】
使用者によってマイクロ波加熱モードを選択されスイッチＯＮされると、マグネトロン６からマイクロ波が放出され、マイクロ波は導波管１４を通り、回転アンテナ１１に照射され、モータ１８によって回転する回転アンテナ１１によってマイクロ波を加熱室１内に撹拌されながら供給される。加熱室１内に供給されたマイクロ波は直接、食品５に吸収されるものもあれば、加熱室１壁面を反射しながら食品５に吸収され加熱させられる。なお、このモード時は、載置皿４は取り外し載置台３の上に食品を載置し加熱する。
【００４７】
オーブンモードを選択されスイッチＯＮされると、加熱室ヒータ２またはコンベクションヒータ８が通電されて発熱し、循環ファン７によって加熱室１内を熱風が循環し食品５を加熱する。
【００４８】
使用者によって給水タンクに水が補充された後、スチームモードを選択されスイッチＯＮされると、給水タンク２９の水がポンプ２８から給水路２７、チューブ２５ｂ、合流部２６、チューブ２５ａ、給水口兼排水口２３を通じて貯水室１９に約３０ｍｌ給水され、同時に蒸気発生ヒータ２０が通電されて発熱し給水された水が加熱され蒸発し、蒸気噴出口２１より加熱室１内に放出され食品５を加熱する。
【００４９】
図３（ａ）に示すように、通常加熱時は貯水室１９内の蒸気発生ヒータ２０部より上方の水位までポンプ２８からの給水によって水が貯められ、同時に排水路３０内の水位も上昇する。蒸気が発生していないときは貯水室１９内の水位と排水路３０の水位は同じであるが、蒸気が発生していると貯水室１９内部の圧力が高まり排水路３０の水位が上昇するため水位は同一ではない。
【００５０】
蒸発を続けると、貯水室１９および排水路３０の水位が下がり貯水室１９は空焚きに近くなり温度が上昇する。そうすると、サーミスタ３４が温度上昇を検知し、制御手段１０がポンプ２８に給水命令を出し給水を自動で行い、サーミスタ３４の温度が下がれば給水を止めるため、貯水室１９の水位を一定に保つことができ、水位センサなしで簡易的に水位を検出し給水することができる。
【００５１】
スチーム加熱が終了すると、サーミスタ３４の温度が約６０℃になるまでしばらく自然冷却を行う。これはスケールの一種である炭酸カルシウムは温度が低いほど溶解度が大きくなるためである。なお、温度については低いほうがよいが、自然冷却の時間が長くなるので、冷却時間とのバランスで適宜設定できる。
【００５２】
自然冷却が終わると、図３（ｂ）に示すように、水位が通常加熱時の水位よりも上方の排水路頂点３２に達するまで自動的にポンプ２８を動作させ給水を行う。排水路頂点３２を超えるまで水位が上昇すると、貯水室１９内での水位と排水路３０内との水位に高低差ａができ、図３（ｃ）に示すようにサイフォンの原理により貯水室１９内のスケールが凝縮した水およびスケールが排水タンク３１に向かって流れる。なお、貯水室１９内での水位と排水路３０内との水位に高低差ａが発生すると排水が始まり、給水してもそれ以上水位は上がらず、ポンプ２８によって排水に必要な給水量より若干多く給水してもあふれたりすることはないので、排水時の貯水室１９内の水位を検知する検知手段は省略できる。
【００５３】
最終的に、図３（ｄ）に示すように貯水室１９内および排水路３０の水は空になり排水タンク３１に蓄えられる。排水タンク３１は使用者によって取り出され、蓄えられた水が捨てられる。なお、排水を行うため給水中に水が足りなくなった場合、ポンプ２８の動作電流が小さくなるため検知でき、ユーザに給水タンク２９に水を補充する必要があることを報知する。
【００５４】
以上のように本実施の形態では、水を貯める貯水室１９と、貯水室１９内の水を加熱する蒸気発生ヒータ２０と、貯水室１９に設けられた給水口兼排水口２３を通じて給水する給水路２７と、貯水室１９に設けられた給水口兼排水口２３を通じて排水する排水路３０を設け、排水路３０は貯水室１９内で通常加熱時に貯められている水位より上方を経由し、貯水室１９からサイフォンの原理により給水口兼排水口２３と排水路３０を通じて排水可能とすることにより、排水路３０の経路構成を設けて排水路頂点３２まで給水するだけで排水を行うことができるため、単純な構成で貯水室１９内に析出するスケールおよびスケール凝縮水の排出を行うことができ、信頼性が高く、安価で、ユーザの負担にならない加熱調理器を提供することができる。
【００５５】
また、食品５を加熱する加熱室１と、貯水室１９内で発生した蒸気を加熱室１に放出する蒸気噴出口２１を設け、排水路３０は蒸気噴出口２１より下方を経由したことにより、排水を行うため給水した時に蒸気噴出口２１から水が加熱室１内にあふれることなく確実に排水できる加熱調理器を提供することができる。
【００５６】
さらに、排水路３０は蒸気発生ヒータ２０より上方を経由したことにより、貯水室１９内において最も温度が高い蒸気発生ヒータ２０付近まで確実に給水して排水することができ、温度が高いほど溶解度が小さくなるスケールの一種である炭酸カルシウムを排出できる加熱調理器を提供することができる。
【００５７】
また、排水路３０下流出口を貯水室１９内の底部より下方に設けたことにより、排水工程において貯水室１９内の水が排水路３０下流出口と同一高さになって排水が止まることなく貯水室内の水を排水できる加熱調理器を提供することができる。
【００５８】
さらに、給水路２７と排水路３０の合流部２６を有し、給水口兼排水口２３を設けたことにより、合流部２６より貯水室１９側の水路を共有することができるため安価な加熱調理器を提供することができる。
【００５９】
また、給水路２７と排水路３０の合流部２６下方上流側に給水路２７を設けたことにより、排水後に給水路２７上流部に残った水が重力によって排水路３０に流れて滞留し、次回給水時に残った水と新しく給水した水との間に空気だまりができず、排水を行うため給水しているときに貯水室１９内の水位が排水路頂点３２と同一高さに達する前に排水することのない加熱調理器を提供することができる。
【００６０】
さらに、給水口兼排水口２３を貯水室１９内底部に設けたことにより、貯水室１９内の水を全て排出することができる加熱調理器を提供することができる。
【００６１】
また、貯水室１９内部に給水口兼排水口２３に向かって水が流れやすいようにテーパーを設けたことにより、貯水室１９内のコーナー部で水残りすることなくスムーズに排水することができる加熱調理器を提供することができる。
【００６２】
さらに、排水路３０をブロー成形により構成したことにより、排水路３０をホースで構成したときに比べて剛性があるため組立時のバラつきが少なく、また振動や落下等で変形しにくく信頼性の高い、安価な加熱調理器を提供することができる。
【００６３】
また、排水路３０の内径をφ６、断面積を２８ｍｍ２としたことにより、断面積を小さくしすぎることにより排水時間を長くすることなく、また断面積を大きくしすぎることにより排水時に排水路３０内に空気が入りこみ排水ができなくなることのない適切な加熱調理器を提供することができる。なお、内径φ２、断面積３ｍｍ２以下では排水時間が１分以上かかり、内径φ１１、断面積８０ｍｍ２以上では本実施の形態のポンプの能力では排水路に空気が入り込み排水ができない。
【００６４】
さらに、仕切り板２２を貯水室１９内中央上部になるような略円弧状に設けたため、突沸した水が蒸気噴出口２１を通して加熱室１内に放出されることがなく、貯水室１９天面に付着した水滴が落下してきたときに、仕切り板２２上に貯まることなく円弧面に沿って貯水室１９下方に流すことができる。
【００６５】
なお、本実施の形態ではサーミスタ３４を用いて簡易的に水位を推定したが、水位センサを用いて貯水室１９または排水路３０の水位を測定すると、より正確に給水量を調整することができる。
【００６６】
また、本実施の形態ではスチーム加熱の都度自動排水を行ったが、お客様がお手入れしたいときにサイフォン排水できる手動排水モードを設けてもよいものである。
【００６７】
さらに、本実施の形態では給水タンク２９と排水タンク３１を別々に形成したが、一体に形成することにより、排水タンク３１の付け忘れを防止し、排水が床面にこぼれることを防ぐことができる。また、排水タンク検知装置を設けることにより、排水タンク３１が付け忘れられても排水路３０上に水を蓄えて、排水が床面にこぼれることを防ぐことができる。
【００６８】
また、本実施の形態では自動で排水工程を行ったが、ユーザが設定手段から排水を選択し排水工程を行うこともでき、給水タンク２９にクエン酸水溶液を入れて給水し加熱後排水工程を行うことにより、より効果的に貯水室１９内のスケールを取り除くことができる
。
【００６９】
（実施の形態２）
図４は、本発明の第２の実施の形態の加熱調理器の貯水室の断面図を示す。以下では、実施の形態１の構成、動作との相違点を中心に述べ、実施の形態１と同一要素については同一符号を付してその構成、動作の説明を省略する。
【００７０】
図４において、貯水室１９天面に上方向に設けられ、加熱室１側に向かってＬ字に曲げて蒸気を供給する内径φ１０ｍｍのパイプ状に形成された蒸気噴出口２１と、貯水室１９のテーパー２４には給水口３６、テーパー２４底部には排水口３７が別々に設けられている。
【００７１】
給水口３６下方上流側には耐熱性のチューブ２５ｃを通じてシリコーンホースで形成された内径φ６の給水路２７、ポンプ２８および給水タンク２９が設けられ、内径φ６の排水路３０はＰＰブロー成形で形成され、排水口３７から下方に耐熱性のチューブ２５ｄを通じて伸び、略水平方向に屈曲し、さらに略垂直方向に屈曲し、蒸気発生ヒータ２０より上方に伸び、内径φ２０、長さ１０ｍｍの空気抜き部３５を備え、貯水室１９内天面と略同一高さである排水路頂点３２で１８０°屈曲して垂直方向下方に伸び、貯水室１９底部より下方の排水路出口３３から排水タンク３１に繋がっている。
【００７２】
排水路３０は貯水室１９内天面と略同一高さである排水路頂点３２を経由したことより、貯水室１９内部一杯に給水して排水できるため貯水室１９天面付近に突沸時に水滴と共に付着したスケールも排出できる加熱調理器を提供することができる。
【００７３】
また、排水路３０に排水路３０の断面積より大きい空気抜き部３５を設けたことにより、排水時に残った水と新しく給水した水との間に空気だまりができたとしても、排水を行うため給水し、空気だまりが空気抜き部３５に移動してきたときに空気が排水路出口側に抜けるため、貯水室１９内の水位が排水路頂点３２と同一高さに達する前に排水することのない加熱調理器を提供することができる。
【産業上の利用可能性】
【００７４】
以上のように本発明にかかる加熱調理器は、単純な構成の排水手段を設けて蒸気発生室内部に析出するスケールおよびスケール凝縮水の排出を行うことができるので、蒸気または湯を使用する調理器具としての電子レンジ、オーブン電子レンジ、電気オーブン、炊飯器、業務用の解凍装置、湯を沸かす湯沸かし器等の用途に適用できる。
【符号の説明】
【００７５】
１  加熱室
５  食品
１９  貯水室
２０  蒸気発生ヒータ
２１  蒸気噴出口
２３  給水口兼排水口
２４  テーパー
２６  合流部
２７  給水路
３０  排水路
３２  排水路頂点
３３  排水路出口
３５  空気抜き部
３６  給水口
３７  排水口
【図１】
2013119951.tif 000003
【図２】
2013119951.tif 000004
【図３】
2013119951.tif 000005
【図４】
2013119951.tif 000006